(57)【要約】【課題】設置に好適な宅配物収容用ボックスの取付構造を提供する。【解決手段】宅配ボックス１０の筐体３０を玄関ドア１２の屋内側に取り付ける際、筐体３０の裏板３４の差入部５６が玄関ドア１２に係止される。また、筐体３０には、表板に施錠可能な蓋体が設けられ、蓋体によって内部が開放可能にされており、筐体３０を玄関ドア１２の屋外側に取り付ける際、筐体３０内にベース板５８を配置し、ベース板５８のボルト６２を開口部５４から投函口２２に挿入する。また、ボルト６２の先端部は、玄関ドア１２の屋内側において取付板６０に挿入されて、蝶ナット６４が螺合される。これにより、宅配ボックス１０は、筐体３０を玄関ドア１２の屋内側に容易に取り付けることができると共に、屋外側から取り外されるのが防止される。【選択図】図２
2020130444.tif 000002
【特許請求の範囲】
【請求項１】
屋外と屋内とを区画すると共に、投函口及び屋内側において前記投函口から投函される投函物を収容する受箱が係止可能な係止部が設けられた区画体と、
表板と裏板とが対で設けられた箱体状とされ、前記表板に開閉可能かつ施錠手段によって施錠可能な蓋体が設けられると共に、前記裏板に前記投函口を内部に連通可能な開口部が設けられた筐体を有し、前記裏板が前記区画体側とされて前記筐体が前記区画体の屋内側に取り付けられる際、前記開口部が前記投函口に対向された状態で前記区画体の前記係止部に係止される宅配物収容用ボックスと、
前記裏板が前記区画体側とされて前記筐体が前記区画体の屋外側に取り付けられる際、前記筐体を前記区画体の屋内側から着脱可能に固定する固定部と、
を含む宅配物収容用ボックスの取付構造。
【請求項２】
前記固定部は、前記投函口を介して屋内側から前記筐体を前記区画体の屋外側に固定する請求項１に記載の宅配物収容用ボックスの取付構造。
【請求項３】
前記固定部は、前記筐体の前記裏板と前記区画体とを挟持して前記筐体を前記区画体に固定する挟持手段を含む請求項２に記載の宅配物収容用ボックスの取付構造。
【請求項４】
前記挟持手段は、
前記区画体の屋内側に配置された固定板と、
前記筐体の内部から前記裏板を挿通され前記区画体の前記投函口に挿入されて前記固定板に挿通されたボルトと、
前記固定板から前記区画体の屋内側に突出された前記ボルトに螺合されたナットと、
を含む請求項３に記載の宅配物収容用ボックスの取付構造。
【請求項５】
前記挟持手段は、前記筐体内に配置された支持板から対で前記ボルトが突設されている請求項４に記載の宅配物収容用ボックスの取付構造。
【請求項６】
前記筐体には、前記区画体の屋外側に配置された際、上側となる上板に前記投函物を挿入可能な貫通孔が設けられている請求項１から請求項５の何れか１項に記載の宅配物収容用ボックスの取付構造。
【発明の詳細な説明】
【技術分野】
【０００１】
本発明は、宅配物が収容される宅配物収容用ボックスの取付構造に関する。
【背景技術】
【０００２】
集合住宅などにおいて各戸（各部屋）の玄関ドアには、投函口が設けられたドアがある。このようなドアの屋内側には、着脱可能な受箱が取り付けられており、投函口から投入された封書やはがきなどの郵便物が受箱に収容される。これにより、受取人（住人）は、在不在にかかわらずはがきや封書等の所定サイズ以内の宅配物を受け取ることができると共に、投函口から投函された宅配物が玄関の床に散乱するのが防止される。
【０００３】
近年、はがきや定形封書などよりも大判の郵便物、小包などの宅配物が増加しており、このような宅配物は、投函口から投函できないことで、受取人が不在であると再配達を行なう必要がある。
【０００４】
ここで、屋外に宅配物を収容できる宅配ボックスが設置されていることで、宅配業者は、受取人の不在時においても宅配物の配達ができ、受取人は、不在時に宅配物の受け取りが可能になる。
【０００５】
ここから、特許文献１では、構造物工事を行なうことなく一時的にドアに固定できる固定要素を備え、小包郵便物等を収容する収容容器が開示されている。特許文献１の収容容器には、固定要素としてテキスタイル要素が用いられ、ドアフレームとドアパネルとの間の隙間に入れて、ドアの閉止によって固定できるつまみが用いられている。
【先行技術文献】
【特許文献】
【０００６】
【特許文献１】特表２０１６−５１５４１５号公報
【発明の概要】
【発明が解決しようとする課題】
【０００７】
しかしながら、収容容器をドアフレームとドアとの間に挟み込んで取り付けるようにした場合、ドアの開閉のたびに収容容器の取り付け・取り外しを行なう必要が生じる。また、収容容器をドアに取り付けるためのつまみにテキスタイルなどを用いた場合、収容容器がドアから取り外されてしまうなどの防犯上の懸念があり、宅配ボックスの取り付けには、改善の余地がある。
【０００８】
本発明は上記事実に鑑みてなされたものであり、玄関ドアなどへの設置に好適な宅配物収容用ボックスの取付構造を提供することを目的とする。
【課題を解決するための手段】
【０００９】
上記目的を達成するための第１の態様の宅配物収容用ボックスの取付構造は、屋外と屋内とを区画すると共に、投函口及び屋内側において前記投函口から投函される投函物を収容する受箱が係止可能な係止部が設けられた区画体と、表板と裏板とが対で設けられた箱体状とされ、前記表板に開閉可能かつ施錠手段によって施錠可能な蓋体が設けられると共に、前記裏板に前記投函口を内部に連通可能な開口部が設けられた筐体を有し、前記裏板が前記区画体側とされて前記筐体が前記区画体の屋内側に取り付けられる際、前記開口部が前記投函口に対向された状態で前記区画体の前記係止部に係止される宅配物収容用ボックスと、前記裏板が前記区画体側とされて前記筐体が前記区画体の屋外側に取り付けられる際、前記筐体を前記区画体の屋内側から着脱可能に固定する固定部と、を含む。
【００１０】
第１の態様では、屋内と屋外とを区画する区画体に投函口、及び投函口から屋内に投函された投函物を収容する箱体が係止可能にされた係止部が設けられている。また、区画体に取り付けられる宅配ボックスは、箱体状の筐体を備えている。筐体の表板には、施錠手段によって施錠可能にされた蓋体が設けられており、筐体は、蓋体が開かれることで、内部が開放される。また、筐体の裏板には、投函口を内部に連通可能とする開口部が設けられ、筐体は、区画体の係止部に係止可能にされている。
【００１１】
このため、宅配物収容用ボックスは、裏板が区画体側とされて筐体が区画体の屋内側に配置されて係止部に係止されることで、筐体が区画体の屋内側に取り付けられて、筐体の内部が開口部を介して投函口に連通（連続）される。これにより、区画体の屋外側から投函口に郵便物等の投函物が投函されることで、投函物が筐体内に収容されると共に、蓋体を開くことで投函物の取り出しが可能になる。
【００１２】
また、宅配物収容用ボックスは、筐体が区画体の屋外側に取り付けられる際、裏板が区画体側とされる。固定部は、区画体の屋外側に配置された筐体を、区画体の屋内側から固定する。  これにより、宅配ボックスは、筐体を区画体の屋内側のみでなく屋外側にも取り付けることができ、筐体が屋外側に取り付けられた際には、施錠手段によって施錠可能な蓋体を開閉して筐体内に宅配物等を出し入れできる。また、固定部は、区画体の屋外側に配置される筐体を屋内側から固定するので、屋外側から筐体が取り外されてしまうのを防止できるので、防犯性が向上される。
【００１３】
第２の態様の宅配物収容用ボックスの取付構造では、第１の態様において、前記固定部は、前記投函口を介して屋内側から前記筐体を前記区画体の屋外側に固定する。
【００１４】
第２の態様では、固定部が投函口を介して屋内側から筐体を区画体の屋外側に固定する。これにより、区画体に加工を施すことなく、筐体を区画体の屋外側に取り付けることができるので、宅配物収容用ボックスの筐体が取り付けられる区画体の原状復帰が容易になる。
【００１５】
第３の態様の宅配物収容用ボックスの取付構造は、第２の態様において、前記固定部は、前記筐体の前記裏板と前記区画体とを挟持して前記筐体を前記区画体に固定する挟持手段を含む。
【００１６】
第３の態様では、挟持手段が区画体と筐体の裏板とを挟持して、筐体を区画体の屋外側に固定する。これにより、区画体の屋内側から区画体の屋外側の筐体を区画体に容易に取り付けることができる。
【００１７】
第４の態様の宅配物収容用ボックスの取付構造は、第３の態様において、前記挟持手段は、前記区画体の屋内側に配置された固定板と、前記筐体の内部から前記裏板を挿通され前記区画体の前記投函口に挿入されて前記固定板に挿通されたボルトと、前記固定板から前記区画体の屋内側に突出された前記ボルトに螺合されたナットと、を含む。
【００１８】
第４の態様では、区画体の屋内側に固定板が配置され、筐体の内部から裏板を挿通され区画体の前記投函口に挿入されたボルトが、固定板に挿通される。また、固定板から区画体の屋内側に突出されたボルトには、ナットが螺合される。これにより、筐体と区画体とをボルトとナットとによって容易に筐体を区画体に締結固定できると共に、筐体と区画体との固定解除が容易になる。
【００１９】
第５の態様の宅配物収容用ボックスの取付構造は、第４の態様において、前記挟持手段は、前記筐体内に配置された支持板から対で前記ボルトが突設されている。
【００２０】
第５の態様では、一対のボルトが支持板から突設されており、支持板を筐体内に配置して、一対のボルトを区画体の投函口に挿入する。これにより、投函口から区画体の屋内側に容易にボルトを突出させて筐体を区画体に取り付けることができる。また、ボルトは、投函口の長手方向に配置されることが好ましく、これにより、筐体がボルトを軸に回ってしまうのを防止できて、筐体を安定した状態で区画体に取り付けることができる。
【００２１】
第６の態様の宅配物収容用ボックスの取付構造では、第１から第５の何れか１の態様において、前記筐体には、前記区画体の屋外側に配置された際、上側となる上板に前記投函物を挿入可能な貫通孔が設けられている。
【００２２】
第６の態様では、区画体の屋外側に配置された筐体の上板に貫通孔が形成されており、貫通孔は、投函物の挿入が可能になっている。これにより、屋外側に配置された筐体が投函口を閉止しても、郵便物を筐体内に収容できる。
【発明の効果】
【００２３】
以上説明したように第１の態様によれば、区画体の屋内側に取り付けることで郵便受けとして用いることができる宅配物収容用ボックスの筐体を、区画体の屋外側に取り付けることができる。また、筐体を区画体の屋外側に取り付けられた際には、屋外側から筐体が取り外されてしまうのを防止できて、防犯性を向上できるという効果が得られる。
【００２４】
第２の態様によれば、区画体に加工を施すことなく、筐体を区画体の屋外側に取り付けることができるので、宅配物収容用ボックスの筐体が取り付けられる区画体の原状復帰が容易になる、という効果が得られる。
【００２５】
第３の態様によれば、挟持手段が区画体と筐体の裏板とを挟持して、筐体を区画体の屋外側に固定するので、区画体の屋外側の筐体を区画体の屋内側から容易に取り付けることができる、という効果が得られる。
【００２６】
第４の態様によれば、筐体と区画体とをボルトとナットとによって容易に筐体を区画体に締結固定できると共に、固定解除が容易になる。
【００２７】
第５の態様によれば、投函口から区画体の屋内側に容易にボルトを突出させて筐体を区画体に取り付けることができると共に、筐体を安定した状態で区画体に取り付けることができる、という効果が得られる。
【００２８】
第６の態様によれば、屋外側に配置された筐体が投函口を閉止しても、郵便物を筐体内に収容できる、という効果が得られる。
【図面の簡単な説明】
【００２９】
【図１】本実施形態に係る宅配ボックスを示す斜視図である。
【図２】玄関ドアへの取り付けを示す宅配ボックスの主要部の斜視図である。
【図３】（Ａ）〜（Ｃ）は、宅配ボックスが玄関ドアの屋外側に取り付けられた状態を示し、（Ａ）は、屋外側から見た玄関ドアの立面図、（Ｂ）は、玄関ドアの側面図、（Ｃ）は、屋内側から見た玄関ドアの立面図である。
【図４】（Ａ）〜（Ｃ）は、宅配ボックスが玄関ドアの屋内側に取り付けられた状態を示し、（Ａ）は、玄関ドアの側面図、（Ｂ）は、屋内側から見た玄関ドアの立面図、（Ｃ）は、屋内側から見た宅配ボックスの主要部の断面図である。
【図５】（Ａ）及び（Ｂ）は、各々玄関ドアを示し、（Ａ）は玄関ドアの屋外側からみた玄関ドアの立面図、（Ｂ）は、屋内側から見た玄関ドアの立面図である。
【発明を実施するための形態】
【００３０】
以下、図面を参照して本発明の実施形態を詳細に説明する。
本実施形態には、宅配物収容用ボックスとして宅配ボックス１０が適用されており、宅配ボックス１０は、区画体としての玄関ドア１２に取り付けられる。図１には、本実施形態に係る宅配ボックス１０が表側から見た斜視図にて示されている。また、図５（Ａ）には、玄関ドア１２が屋外側から見た立面図にて示され、図５（Ｂ）には、玄関ドア１２が屋内側から見た立面図にて示されている。
【００３１】
玄関ドア１２は、例えば鋼板製とされており、玄関ドア１２は、戸建て住宅やマンションなどの集合住宅等の玄関に設置されて、屋内と屋外とを区画する。図５（Ａ）及び図５（Ｂ）に示すように、玄関ドア１２は、矩形枠状のドア枠１４（図５（Ａ）参照）内に配置された開き戸とされており、玄関ドア１２は、幅方向の一側の複数個所においてヒンジ（蝶番）１６を介してドア枠１４に取り付けられている。これにより、玄関ドア１２は、例えばヒンジ１６を軸に屋外側に回動されて、玄関を人の出入可能に開放する。
【００３２】
なお、玄関ドア１２には、レバーハンドル１８及びシリンダ２０が設けられており、玄関ドア１２は、シリンダ２０のサムターン又はシリンダ２０に差込んだキー（何れも図示省略）が回動操作されることで、施錠及び解錠される。玄関ドア１２は、施錠されることで開閉できないが、解錠されることで、レバーハンドル１８の操作で開閉可能になる。
【００３３】
玄関ドア１２には、郵便受けを構成する長尺矩形状の投函口２２が設けられている。投函口２２は、はがきや封書等（以下、郵便物という）が挿入（投入）可能な大きさとされ、投函口２２は、玄関ドア１２の上下方向中間部の所定位置において、長手方向が玄関ドア１２の幅方向（左右方向）とされて、玄関ドア１２に貫通形成されている。
【００３４】
また、投函口２２の開口内には、シャッタ２２Ａが設けられており、シャッタ２２Ａは、上側の周縁部分が軸とされて、下側が屋外側に向けて回動可能にされており、シャッタ２２Ａは、屋外側に付勢されて投函口２２を閉止している。これにより、投函口２２は、シャッタ２２Ａを屋内側に回動させること開かれて、屋外側から郵便物が挿入（投函）可能になっている。
【００３５】
玄関ドア１２の屋内側には、係止手段としての正面視略コ字状のブラケット２４が配置されており、ブラケット２４は、投函口２２を玄関ドア１２の幅方向の両側から上側に跨って囲うように玄関ドア１２の屋内側の面に取り付けられている。ブラケット２４には、投函口２２の上側部分に凹部２４Ａが形成されており、凹部２４Ａは、玄関ドア１２側及び上側の各々に長尺矩形状に開口されている。これにより、ブラケット２４が取り付けられた玄関ドア１２には、玄関ドア１２の屋内側の面とブラケット２４との間において凹部２４Ａが上方に向けてスリット状に開口された差込み口２６が形成されている。
【００３６】
ブラケット２４は、玄関ドア１２の内側において郵便受けを構成する受箱（郵便受箱）２８の取り付けを可能にしている。受箱２８は、例えば一方の面が開放された略箱状とされており、受箱２８は、開口側が玄関ドア１２側とされて、玄関ドア１２の屋内側に配置される。また、受箱２８には、上側の開口周縁から開口内に延設された図示しない差入部が形成されている。受箱２８は、差入部が差込み口２６に挿入されることで、投函口２２を覆うようにブラケット２４に吊下げられて係止される。
【００３７】
玄関ドア１２は、受箱２８が取り付けられることで、投函口２２から投函された郵便物が受箱２８に収容される。なお、受箱２８の下端部は、玄関ドア１２の屋内側面に設けられた図示しないナットにネジを螺合して締結固定されてもよい。
【００３８】
宅配ボックス１０は、受箱２８に替えて玄関ドア１２の屋内側に取り付け可能になっている。また、宅配ボックス１０は、玄関ドア１２の屋内側に替えてと、玄関ドア１２の屋外側に取り付け可能になっている。図２には、玄関ドア１２の屋外側に取り付けられる際の宅配ボックス１０の主要部が斜視図にて示されている。また、図３（Ａ）〜（Ｃ）には、宅配ボックス１０が屋外側に取り付けられた玄関ドア１２が示され、図４（Ａ）〜（Ｃ）には、宅配ボックス１０が屋内側に取り付けられた玄関ドア１２が示されている。なお、図３（Ａ）には、玄関ドア１２が屋外側から見た立面図にて示され、図３（Ｂ）には、玄関ドア１２が側面図にて示され、図３（Ｃ）には、玄関ドア１２が屋内側から見た立面図にて示されている。また、図４（Ａ）には、玄関ドア１２が側面図にて示され、図４（Ｂ）には、玄関ドア１２が屋内側から見た立面図にて示され、図４（Ｃ）には、玄関ドア１２に取り付けられた筐体３０の主要部が屋内側から見た断面図にて示されている。
【００３９】
図１に示すように、宅配ボックス１０は、矩形箱体状とされた筐体３０を備えており、筐体３０は、鋼板、ステンレス、アルミニウムなどの金属製又は樹脂製とされている。筐体３０は、宅配物としての郵便物よりも大きい所定のサイズ（大きさ）の郵便小包や段ボール箱などを内部に収容可能な大きさとされている。また、筐体３０は、一面が表板３２とされ、表板３２とは反対側が裏板３４とされていると共に、表板３２及び裏板３４の各々に接する一面が上板３６とされており、筐体３０は、裏板３４が玄関ドア１２側とされ、上板３６が上側とされて用いられる。
【００４０】
筐体３０の表板３２には、略矩形状の開口部３８が貫通形成されており、開口部３８は、筐体３０内に収容される宅配物が挿入可能な大きさにされている。また、筐体３０には、開口部３８内に蓋体（扉）４０が配置されており、蓋体４０は、開口部３８を閉止可能な大きさにされている。
【００４１】
蓋体４０は、下縁部が図示しないヒンジを介して筐体３０の開口部３８下縁に連結されている。また、蓋体４０は、上下方向中間部がステー４２（図３（Ａ）及び図４（Ｂ）参照）を介して筐体３０の開口部３８の側縁部に連結されており、ステー４２は、長手方向の中間部が屈曲可能とされている。これにより、蓋体４０は、下側部分を軸に上側が回動されて、開口部３８の閉止位置、及びステー４２が伸びた開口部３８の開放位置に配置可能にされており、蓋体４０は、開放位置においてステー４２に支持される。
【００４２】
また、蓋体４０には、施錠手段としてのダイヤル錠４４が設けられている。ダイヤル錠４４は、ダイヤル４６を備えており、ダイヤル４６は、例えば、蓋体４０の上側かつ幅方向の中間部において表側に突出されている。ダイヤル４６は、蓋体４０の開閉の際のツマミとして利用可能になっている。
【００４３】
また、ダイヤル４６は、右廻り及び左廻りに回転可能にされており、ダイヤル４６には、数字が表示されるダイヤル窓４８が形成されており、ダイヤル窓４８に表示される数字は、ダイヤル４６が回転されることで変更される。ダイヤル錠４４は、ダイヤル４６の回転操作によりロック、ロック解除が切り替えられる。ダイヤル錠４４は、ロック状態で蓋体４０の裏側の図示しないロックレバーが筐体３０の開口部３８周縁に係止される。これにより、蓋体４０が開かれないロック状態にされる。なお、ダイヤル錠４４（ダイヤル４６）は、蓋体４０ではなく、表板３２の開口部３８周縁部分などに設置されていてもよい。
【００４４】
ダイヤル錠４４は、ロック解錠のためのダイヤル４６の回転方向とダイヤル窓４８の数字の組合せが予め定められており、ダイヤル錠４４は、ダイヤル４６が予め設定された回転操作がなされることで、ロックレバーが蓋体４０の裏側に退避される。これにより、蓋体４０が開閉可能なアンロック状態になる。
【００４５】
また、図１に示すように、筐体３０の上板３６には、貫通孔としての長尺略矩形状の挿入口５０が形成されており、挿入口５０は、宅配ボックス１０において投函口として機能する。挿入口５０は、長手方向が筐体３０の左右方向とされて上板３６に貫通形成されている。また、挿入口５０には、シャッタ５２が配置されており、挿入口５０は、シャッタ５２が回動されることで開かれ、郵便物が挿入（投函）可能となる。宅配ボックス１０では、挿入口５０から筐体３０内に挿入（投入）された郵便物が筐体３０内に収容される。
【００４６】
なお、図４（Ｃ）に示すように、上板３６の下側には、矩形筒状のダクト５０Ａが取り付けられており、挿入口５０は、ダクト５０Ａ内を介して筐体３０内に連通されている。このため、挿入口５０に投函された郵便物は、ダクト５０Ａ内を通過して筐体３０内に落下することで、筐体３０内に収容され、ダクト５０Ａは、筐体３０内に収容された郵便物等が挿入口５０から引き出されるのを抑制している。
【００４７】
図１、図２及び図４（Ｃ）に示すように、筐体３０の裏板３４には、略矩形状の開口部５４が貫通形成されている。開口部５４の左右方向の開口寸法は、玄関ドア１２の投函口２２の左右方向（長手方向）の寸法（開口寸法）よりも大きくされており、開口部５４の上下方向の寸法は、投函口２２の上下方向の開口寸法より大きくされている。本実施形態において開口部５４は、開口内に投函口２２及び投函口２２を囲うブラケット２４を一体に配置可能な大きさにされている（図４（Ｃ）参照）。
【００４８】
筐体３０の裏板３４には、係止部としての略矩形状の差入部５６が形成されている。差入部５６は、開口部５４の左右方向の中間部において開口部５４の上側周縁部から開口内に突出されており、差入部５６は、ブラケット２４によって形成された差込み口２６に挿入可能となっている。
【００４９】
筐体３０は、差入部５６が玄関ドア１２の差込み口２６に挿入されることで、ブラケット２４によって玄関ドア１２の屋内側に係止される。これにより、玄関ドア１２の投函口２２が、筐体３０の開口部５４内に配置され、玄関ドア１２の屋外側から投函口２２に投函された郵便物等が筐体３０内に収容可能にされている。
【００５０】
一方、図２、図３（Ｂ）及び図３（Ｃ）に示すように、筐体３０を玄関ドア１２の屋外側に取り付ける際には、固定部及び挟持手段を構成する支持板としてのベース板５８、及び取付板６０が用いられる。ベース板５８は、筐体３０内に配置され、取付板６０は、玄関ドア１２の屋内側に配置される。
【００５１】
ベース板５８は、帯板状とされており、長手方向の長さ寸法が裏板３４に形成された開口部５４の左右方向の開口寸法よりも長くされている。また、ベース板５８には、例えば、寸切りボルト（長ねじ）を所定長さに切断したボルト６２が対で取り付けらており、ボルト６２は、ベース板５８の一方の面において長手方向の中間部からベース板５８表面に対して略垂直に立設されている。ボルト６２の長さ（立設高さ）は、玄関ドア１２の厚さよりも長くされており、一対のボルト６２の間隔寸法は、投函口２２の長手方向（玄関ドア１２の左右方向）の長さ寸法よりも短くされている。
【００５２】
これにより、裏板３４を玄関ドア１２の屋外側の面に対向させた状態で、開口部５４から投函口２２に一対のボルト６２を挿入した状態では、ベース板５８の長手方向の端部が開口部５４の周縁部において裏板３４に重ねられる。また、ボルト６２の先端部は、玄関ドア１２の投函口２２から屋内側に突出され、蝶ナット６４が螺合可能になっている。なお、ボルト６２は、少なくとも投函口２２から屋内側に突出する部分にねじが刻設されていればよい。
【００５３】
取付板６０は、玄関ドア１２の投函口２２を覆う大きさの帯板状とされており、取付板６０には、ベース板５８の一対のボルト６２が各々に挿入可能な貫通孔６６が対で貫通形成されている。これにより、取付板６０は、玄関ドア１２の屋内側においてブラケット２４に囲われるように配置可能とされると共に、玄関ドア１２に配置された際に、周縁部が玄関ドア１２の投函口２２の周縁部に重ねられる。また、取付板６０の貫通孔６６には、投函口２２から突出されるボルト６２の先端部が挿通される。
【００５４】
次に本実施形態の作用として玄関ドア１２への宅配ボックス１０の取り付けを説明する。本実施形態に係る宅配ボックス１０は、筐体３０が玄関ドア１２の屋内側及び屋外側の何れにも取り付け可能になっている。
【００５５】
筐体３０の裏板３４には、開口部５４が形成されていると共に、開口部５４の上側周縁に差入部５６が形成されている。筐体３０は、ブラケット２４によって玄関ドア１２の屋内側に形成された差込み口２６に差入部５６が差込まれる（図４（Ｃ）参照）ことで、ブラケット２４を介して玄関ドア１２に係止される。また、筐体３０の内部は、裏板３４の開口部５４及び玄関ドア１２の投函口２２を介して屋外に開放可能となる。
【００５６】
これにより、宅配ボックス１０の筐体３０は、玄関ドア１２の投函口２２から投函される郵便物等を収容する郵便受けとして用いることができる。また、宅配ボックス１０は、差入部５６を玄関ドア１２の差込み口２６から引き出すことで、筐体３０を玄関ドア１２から取り外すことができ、宅配ボックス１０は、玄関ドア１２に対して加工を行なうことなく筐体３０を玄関ドア１２の屋内側に容易に着脱できる。
【００５７】
一方、宅配ボックス１０は、筐体３０を玄関ドア１２の屋外側に取り付けられる際、ベース板５８及び取付板６０等が用いられる。筐体３０は、裏板３４の開口部５４を玄関ドア１２の屋外側から投函口２２に対向させた状態（図２参照）で、ベース板５８の一対のボルト６２を開口部５４から投函口２２に挿入して、投函口２２から屋内側に突出させる。この際、投函口２２のシャッタ２２Ａ（図２では、図示省略）が屋外側から屋内側に回動可能となっていることで、ボルト６２を容易に投函口２２へ挿入できる。
【００５８】
次に、投函口２２から玄関ドア１２の屋内側に突出したボルト６２の先端部を、取付板６０の貫通孔６６に挿通し、さらに貫通孔６６から突出したボルト６２の先端部に蝶ナット６４を螺合する。これにより、宅配ボックス１０は、筐体３０の裏板３４と玄関ドア１２とがベース板５８と取付板６０に挟まれて、筐体３０が玄関ドア１２の屋外側に締結固定される。
【００５９】
筐体３０には、上板３６に挿入口５０が形成されており、挿入口５０から郵便物等を挿入することで、郵便物等が筐体３０内に収容され、筐体３０内に収容された郵便物等は、蓋体４０を開くことで筐体３０内から取り出される。これにより、宅配ボックス１０は、筐体３０が郵便受けとして用いられるので、玄関ドア１２の投函口２２が筐体３０によって閉止されていても、郵便物等の受け取りができる。
【００６０】
また、宅配ボックス１０では、筐体３０の表板３２に蓋体４０が設けられており、蓋体４０を開くことで筐体３０内が大きく開放されて宅配物等を挿入できる。また、筐体３０には、ダイヤル錠４４が設置されており、ダイヤル錠４４によって蓋体４０をロックできる。これにより、ダイヤル錠４４の解除番号を知らない人（受取人以外の人）によって筐体３０内に収容された宅配物等が簡単に取り出されてしまうのを防止できる。また、ダイヤル４６を操作してダイヤル錠４４を解錠することで、蓋体４０を開くことができ、ダイヤル錠４４の解除番号を知っている受取人は、筐体３０内に収容された宅配物等を簡単に取り出すことができる。
【００６１】
一方、玄関ドア１２の屋外側に設置された筐体３０を取り外す場合、玄関ドア１２の屋内側において、蝶ナット６４をボルト６２から外し、ボルト６２を取付板６０の貫通孔６６から引き抜く。これにより、ベース板５８のボルト６２を玄関ドア１２の投函口２２から引き出して、ベース板５８と共に筐体３０を玄関ドア１２から取り外しことができる。
【００６２】
このように、宅配ボックス１０は、玄関ドア１２の投函口２２が用いられて筐体３０が玄関ドア１２に取り付けられているため、筐体３０が玄関ドア１２の開閉に支障を生じさせることがない。また、宅配ボックス１０は、筐体３０が投函口２２を介して屋内側から固定されるので、玄関ドア１２の屋外側から筐体３０を取り外すことが困難となり、高い防犯性を確保できる。しかも、宅配ボックス１０は、屋外側の筐体３０を玄関ドア１２の屋内側から容易に取り外すことができる。
【００６３】
また、宅配ボックス１０は、投函口２２の長手方向に配置された２本のボルト６２が投函口２２に挿入されて締結固定されている。このため、筐体３０は、玄関ドア１２に取り付けられた際、一方のボルト６２が軸となって回転してしまうのが他方のボルト６２と投函口２２とによって制限されるので、玄関ドア１２に安定した状態で取り付けられる。
【００６４】
さらに、宅配ボックス１０は、筐体３０を玄関ドア１２の屋外側に設置する際、玄関ドア１２に対する加工等を行なうことがないので、例えば、賃貸住宅であっても、契約時への原状復帰を容易にできる。しかも、宅配ボックス１０は、筐体３０を玄関ドア１２の屋内側及び屋外側の各々に容易に着脱できるので、例えば、通常は、玄関ドア１２の屋内側に筐体３０を設置して郵便受けとして利用し、宅配物が配達されると予測されるときに、玄関ドア１２の屋外側に筐体３０を設置することができる。
【００６５】
なお、以上説明した本実施形態は、本発明の構成を限定するものではない。本実施形態では、ベース板５８に一対のボルト６２を設けたが、六角ボルトなどの頭付きのボルトを用い、筐体３０の裏板３４の所定位置にボルトのねじ部分が挿通可能な貫通孔を形成し、裏板３４と取付板６０との間で玄関ドア１２を挟んで筐体３０を玄関ドア１２の屋外側に取り付けるようにしてもよい。
【００６６】
また、玄関ドア１２の屋外側への筐体３０の取り付けは、投函口２２を介して玄関ドア１２の屋内側から取り付けて固定するものであれば、本実施形態の構成に限るものではない。また、固定部は、投函口を用いる構成に限らず、例えば、玄関ドア１２の周縁部において、玄関ドア１２と筐体３０の裏板３４との挟むようにして筐体３０を玄関ドア１２に取り付ける構成であってもよい。この場合においても、筐体３０が玄関ドア１２の開閉や玄関の出入に支障が生じるのを抑制できる。
【００６７】
また、以上説明した本実施形態では、玄関ドア１２に宅配ボックス１０を設置した。しかしながら、宅配物収容用ボックスが取り付けられる区画体は、投函口が設けられた区画体であればよく、区画体は、玄関ドア脇の袖パネルであってもよく、袖壁などであってもよい。
【符号の説明】
【００６８】
１０    宅配ボックス（宅配物収容用ボックス）
１２    玄関ドア（区画体）
２２    投函口
２４    ブラケット（係止部）
２６    差込み口（係止部）
３０    筐体
４０    蓋体
４４    ダイヤル錠（施錠手段）
５０    挿入口（貫通孔）
５４    開口部
５６    差入部
５８    ベースプレート（挟持手段、支持板）
６０    取付板（挟持手段）
６２    ボルト（挟持手段）
６４    蝶ナット（挟持手段、ナット）
【図１】
2020130444.tif 000003
【図２】
2020130444.tif 000004
【図３】
2020130444.tif 000005
【図４】
2020130444.tif 000006
【図５】
2020130444.tif 000007